(57)【要約】【課題】電源箱の内部に洗浄液が侵入してしまうことを防止した安全な空気調和機を提供すること。【解決手段】本発明の空気調和機は、少なくとも内部に熱交換器および電源箱と、前面を構成するグリルとを備えた室内ユニットを有する空気調和機であって、前記熱交換器と前記電源箱とが並んで配置されるとともに、前記熱交換器の端部に遮蔽版を取り付けるとともに、前記熱交換器と前記グリルとの間の空間を前記遮蔽版で仕切ること熱交換器と電源箱との前に存在するグリルとの間の空間が仕切られるため、熱交換器を洗浄するメンテナス工事業者が、室内ユニット内部構造を理解せず、熱交換器に洗浄液を吹き付けても、洗浄液が電源箱まで飛散することが無く電装部品の発火・発煙が防止できる。【選択図】図１
2012002414.tif 000002
【特許請求の範囲】
【請求項１】
少なくとも内部に熱交換器および電源箱と、前面を構成するグリルとを備えた室内ユニットを有する空気調和機であって、前記熱交換器と前記電源箱とが並んで配置されるとともに、前記熱交換器の端部に遮蔽版を取り付けるとともに、前記熱交換器と前記グリルとの間の空間を前記遮蔽版で仕切ることを特徴とする空気調和機。
【請求項２】
前記遮蔽版に複数のリブを設けたことを特徴とする請求項１に記載の空気調和機。
【発明の詳細な説明】
【技術分野】
【０００１】
本発明は、空気調和機の室内ユニットに於ける熱交換器とグリル隙間に設ける遮蔽板に関するものである。
【背景技術】
【０００２】
図４〜図７は従来の空気調和機の構成を示す図である。図４〜７に示すように、室内ユニット１の前側全体をグリル２で覆い、正面はパネル２ａで覆っている。図５において室内ユニット１のパネル２ａを開くと、フイルタ−２ｂが熱交換器４の正面全体をカバ−できるよう配置している。
【０００３】
また、断面形状である図６に示すように、熱交換器４とグリル２との間は、空間６を有し、電源箱３が視認できる構造である。図７はグリル２を外した内部構造を示すもので熱交換器４の右側に、電源箱３が配置されている。
【先行技術文献】
【特許文献】
【０００４】
【特許文献１】特開２０１０−９６４６５号公報
【発明の概要】
【発明が解決しようとする課題】
【０００５】
しかしながら、近年ではメンテナス工事を行う業者が多くなり、一部メンテナス工事業者は室内ユニット内部構造を理解せず、パネル２ａを開けた状態で熱交換器４に洗浄液を吹き付けて洗浄メンテナスを行うことがある。そのため、熱交換器４とグリル２との間の空間６から、洗浄液が電源箱３まで飛散して、電源箱３の内部に洗浄液が侵入し、その結果、電装部品の発火・発煙に繋がってしまうという課題を有していた。
【０００６】
本発明は、前記従来の課題を解決するものであり、電源箱の内部に洗浄液が侵入してしまうことを防止した安全な空気調和機を提供することを目的とする。
【課題を解決するための手段】
【０００７】
前記従来の課題を解決するために、本発明の空気調和機は、少なくとも内部に熱交換器および電源箱と、前面を構成するグリルとを備えた室内ユニットを有する空気調和機であって、前記熱交換器と前記電源箱とが並んで配置されるとともに、前記熱交換器の端部に遮蔽版を取り付けるとともに、前記熱交換器と前記グリルとの間の空間を前記遮蔽版で仕切ることにより、熱交換器と電源箱との前に存在するグリルとの間の空間が仕切られるため、熱交換器を洗浄するメンテナス工事業者が、室内ユニット内部構造を理解せず、熱交換器に洗浄液を吹き付けても、洗浄液が電源箱まで飛散することが無く電装部品の発火・発煙が防止できる。
【発明の効果】
【０００８】
本発明は、電源箱の内部に洗浄液が侵入してしまうことを防止した安全な空気調和機を提供することができる。
【図面の簡単な説明】
【０００９】
【図１】本発明の空気調和機室内ユニットの内部正面図
【図２】本発明の空気調和機室内ユニットの内部断面図
【図３】本発明の実施の形態１における遮蔽板斜視図
【図４】従来の空気調和機室内ユニットの正面図
【図５】従来の空気調和機室内ユニットのパネルは開放状態図
【図６】従来の空気調和機室内ユニットの内部断面図
【図７】従来の空気調和機室内ユニットの内部正面図
【発明を実施するための形態】
【００１０】
第１の発明の空気調和機は、少なくとも内部に熱交換器および電源箱と、前面を構成するグリルとを備えた室内ユニットを有する空気調和機であって、前記熱交換器と前記電源箱とが並んで配置されるとともに、前記熱交換器の端部に遮蔽版を取り付けるとともに、前記熱交換器と前記グリルとの間の空間を前記遮蔽版で仕切ることにより、熱交換器と電源箱との前に存在するグリルとの間の空間が仕切られるため、熱交換器を洗浄するメンテナス工事業者が、室内ユニット内部構造を理解せず、熱交換器に洗浄液を吹き付けても、洗浄液が電源箱まで飛散することが無く電装部品の発火・発煙が防止できる。
【００１１】
第２の発明は、特に、第１の発明の空気調和機において、前記遮蔽版に複数のリブを設けたことにより、遮蔽板に付着した洗浄液、及び遮蔽板に付着した結露水がスム−ズに熱交換器に導かれる様、遮蔽板と熱交換器の隙間を無くす壁と、蔽板と熱交換器に隙間が発生しない様平面部と、平面部からの流水が滅交換機以外に行かない様に間隔を隔てた位置に土手を設けることで確実な水処理を行うことができる。
【００１２】
以下、本発明の実施の形態について、図面を参照しながら説明する。なお、この実施の形態によって本発明が限定されるものではない。
【００１３】
（実施の形態１）
図１は、本発明の第１の実施の形態における空気調和機のグリル２を外した状態の室内ユニットの正面図で、図２は室内ユニット１の断面状態の内部構造図である。
【００１４】
図１に示すように、室内ユニット１内の正面全体が熱交換器４で構成され、右側に電装部品を収納する電源箱３が設置されている。図２において室内ユニット１内のグリル２と熱交換器４の隙間を埋める形状で設置されている。従来の技術と同じ構成要素については同じ符号を用い、説明を省略する。
【００１５】
以上のように構成された空気調和機の遮蔽板について、以下その動作、作用を説明する。
【００１６】
まず、図１において熱交換器４の正面右側端部に樹脂製の遮蔽板５が熱交換器４に接する平面５ａを有し熱交換器４に取り付けられている。
【００１７】
図２において室内ユニット１内のグリル２と熱交換器４の隙間を埋める形状で設置されている。
【００１８】
これにより、前面パネル２ａを開いた状態で熱交換器４を洗浄する際、熱交換器端部で斜め方法に洗浄液を吹き付けても、遮蔽板５で洗浄液が電源箱側に飛散するとこが防止できる。
【００１９】
以上のように、本実施の形態において電源箱３内部の電装部品に洗浄液が付着することが無く、電装部品からの発火・発煙が防止ができる安全な空気調和機が構成できる。
【００２０】
（実施の形態２）
図３は、本発明の第２の実施の形態における遮蔽板５の斜視図である。図３において遮
蔽板５は、熱交換器と接する平面５ａと、平面５ａに垂直の壁面５ｂが構成されている。
【００２１】
また、遮蔽板５の下側に平面５ａと３ｍｍ以上の間隔を呈し土手５ｃが逆向きで略へ文字形状で設けられており、土手５ｃは平面５ａより左側が長くなっている。土手５ｃの下面から隙間を有し平面５ａに垂直に受け面５ｄが設けられている。
【００２２】
以上のように構成された遮蔽板について、以下その動作、作用を説明する。
【００２３】
まず、熱交換器洗浄液は壁５ｂに当たり５ａとの角を伝い下側に流れ、流れが緩やかな場合は土手５ｃに滴下し、土手５ｃにより熱交換器に導かれる。
【００２４】
流れが急な場合は土手５ｃの逆向きで略へ文字形状部で流水を受け止め熱交換器に流す。また、熱交換器の熱により冷やされ壁５ｂに付着した露は受け面５ｄより熱交換器に導かれる。
【００２５】
以上のように、本実施の形態において熱交換器の洗浄液が大量に遮蔽板５に吹き付けられても、熱交換器以外に滴下すること無く洗浄液の及び遮蔽板の露処理ができる。
【産業上の利用可能性】
【００２６】
以上のように、本発明にかかる空気調和機の熱交換器とグリル隙間に遮蔽板を付けることで、熱交換器の洗浄メンテを空調機メ−カ−が意図しない洗浄方法で行っても電源箱に洗浄液が飛散することが防止できる安全な空気調和機とすることができる。
【符号の説明】
【００２７】
１  室内ユニット
３  電源箱
４  熱交換器
５  遮蔽板
【図１】
2012002414.tif 000003
【図２】
2012002414.tif 000004
【図３】
2012002414.tif 000005
【図４】
2012002414.tif 000006
【図５】
2012002414.tif 000007
【図６】
2012002414.tif 000008
【図７】
2012002414.tif 000009